(57)【特許請求の範囲】
【請求項１】
長辺と短辺とからなる開口から構成され、空気を風として吹き出す吹き出し口からなり、前記吹き出し口は、開口の前記長辺が瞼のカーブに沿って湾曲して形成され、前記長辺方向の幅が５ｍｍ〜50ｍｍの範囲で、且つ前記短辺方向が０．５ｍｍ〜２０ｍｍの範囲で形成された専用送風機用ノズルを備えているまつげ専用送風器であって、空気の吸い込み口と前記吹き出し口を有する手で握れる大きさの筐体と、前記吸い込み口から空気を吸い込み、前記吹き出し口へ送風する送風手段と、前記送風手段を駆動する電源と、を備え前記空気の吸い込み口は前記筐体の前記吹き出し口の対向する両面の先端側端の短い方の筐体面側に形成されていることを特徴とするまつげ専用送風器。
【発明の詳細な説明】
【技術分野】
【０００１】
本発明は、まつげ専用送風器用ノズル及びまつげ専用送風器に係り、特に送風器から送られてくる空気の流れにより、まつげの近傍を乾燥させることが可能で、コンパクトなまつげ専用送風器用ノズル及びまつげ専用送風器に関する。
【背景技術】
【０００２】
従来から送風装置として、頭部の髪を乾燥させるヘアードライヤーや、冷却などを目的とした扇風機などは広く知られている。
しかし、これらのヘアードライヤーや扇風機は、幅広く髪の毛を乾かし、幅広く身体を冷却などするため、全体に風が行き渡り、まつげメイク（マスカラ、アイラインなど）の乾燥、まつげエクステ施術後のグルー（接着成分）の乾燥（即ち揮発を促す）、つけまつげのグルー乾燥などに用いるには適さない。
【０００３】
つまり、従来のヘアードライヤーや扇風機を、顔やまつげに向けて操作すると、これらによって生じる空気の流れ（風）が、顔全体に当ってしまい、まつげだけではなく目の周りが乾燥してしまい、まつげだけにあてることができないという不都合があった。
このため、従来は、まつげメイクの乾燥、まつげエクステ施術後のグルーの乾燥、つけまつげのグルー乾燥などは、放置して、自然に乾くのを待つ以外に方法がなかった。
【発明の概要】
【発明が解決しようとする課題】
【０００４】
しかし、まつげメイクの乾燥、まつげエクステ施術後のグルーの乾燥、つけまつげのグルー乾燥などは、接着成分などが自然に乾燥するまで待つ間、目に染み、化粧が崩れるなどの問題があるばかりでなく、乾いていない状態でアイメイクをすると、アイメイクの失敗が頻発する。また乾いてからアイメイクを行うと、乾く時間が必要であり、それだけアイメイクの時間が長くなって、施術時間が長時間となってしまう。
特に、頬、目の周りの表皮は非常に薄く乾燥し易い箇所で、美容の観点から見ても、むやみな風を当てる行為は避けたい所である。このため、アイメイクの施術時間を短縮でき、失敗が少なく、早く乾かすことができる技術が望まれていた。
また従来のヘアードライヤーや扇風機はまつげに送風するには不向きであるだけでなく、大きく、持ち運びが困難であり、コンパクトなハンディタイプの技術が望まれていた。
【０００５】
本発明は、上記課題を解決するためになされたものであり、本発明の目的は、マスカラ、アイラインなどのアイメイクや、まつげエクステのグルーやつけまつげのグルー（接着成分）を早く乾かし、目に染みる時間を短縮し、化粧の崩れを防止できる、コンパクトなまつげ専用送風器用ノズル及びまつげ専用送風器を提供することにある。
本発明の他の目的は、アイメイクの失敗を減らし、アイメイクの時間を短縮でき、まつげエクステサロンの施術時間短縮が行える、コンパクトなまつげ専用送風器用ノズル及びまつげ専用送風器を提供することにある。
【課題を解決するための手段】
【０００６】
前記課題は、本発明のまつげ専用送風器用ノズルによれば、長辺と短辺とからなる開口から構成され、空気を風として吹き出す吹き出し口からなるまつげ専用送風器用ノズルであって、前記吹き出し口は、開口の前記長辺が瞼のカーブに沿って湾曲して形成され、前記長辺方向の幅が５ｍｍ〜５０ｍｍの範囲で、且つ前記短辺方向が０．５ｍｍ〜２０ｍｍの範囲で形成されたこと、により解決される。
【０００７】
一般に、アジア人（日本人）の目幅は、平均３０ｍｍ前後であり、本発明の吹き出し口は、長辺方向の幅が５ｍｍ〜５０ｍｍの範囲であり、開口の長辺が瞼のカーブに沿って湾曲して形成されているので、上記平均３０ｍｍ前後のまつげの根元に集中して、吹き出し口から出た風が当たるように構成することができる。そして、開口の短辺方向が０．５ｍｍ〜５０ｍｍの範囲であるので、吹き出される風が細いペーパーのような風になり、これによって、集中的にまつげの根本やグルーの位置に当てることができる。しかも、瞼のカーブに沿って細く薄い空気の流れ（風）が吹き出るため、他の部位の乾燥を併発することがないように構成することが可能である。
【０００８】
そして、前記吹き出し口と連結された空気の吸い込み口を有し、前記吹き出し口は、少なくとも前記短辺方向が先細りに形成すると好適である。
【０００９】
このように構成すると、細いペーパーのような風を、確実に吹き出させることが可能となり、瞼のカーブに沿って細く薄い風によって乾燥がグルーを的確に捉え、他の部位の乾燥をより防止することが可能となる。
【００１０】
さらに、筐体の吹き出し口の短辺方向を形成する対向する両面の先端側端面は、一方の面側と他方の面側とで、所定の長さの差を設けて形成されていると好適である。
【００１１】
このように、吹き出し口の短辺方向の吹出口を形成する先端側端面の一方が、所定の長さの差を設けて形成されているので、風が外側に巻くように噴出される。つまり、「頬」側ではなく、頬から離れる方向へ風が流れ、細いペーパーのような風によって、集中的にまつげの根本やグルーの位置だけに当てることができるので、「頬」や「瞼」への影響を少なくできる。
【００１２】
さらに、前記吹き出し口は、開口の短辺方向に風仕切り部が、長辺方向に所定間隔で形成されていると好ましい。このようにすると、吹き出し口からの風を、吹き出し口の位置に拘わらず、空気の流れが風仕切り部によって規制され、一定の風速に規制することが可能となるので、グルーなどの乾燥を均一に行うことが可能となる。
【００１３】
前記課題は、本発明に係るまつげ専用送風器によれば、請求項１乃至４のいずれか１項に記載のまつげ専用送風器用ノズルを備えているまつげ専用送風器であって、空気の吸い込み口と、吹き出し口を有する手で握れる大きさの筐体と、前記吸い込み口から空気を吸い込み、前記吹き出し口へ送風する送風手段と、前記送風手段を駆動する電源と、を備えたこと、により解決される。
【００１４】
以上のように構成することにより。請求項１乃至４のいずれか１項に記載の特徴を備えたコンパクトなまつげ専用送風器を提供することができる。すなわち、マスカラ、アイラインなどのアイメイクや、まつげエクステのグルーやつけまつげのグルー（接着成分）を早く乾かし、目に染みる時間を短縮し、化粧の崩れを防止でき、アイメイクの失敗を減らし、アイメイクの時間を短縮でき、まつげエクステサロンの施術時間短縮が行える。
【００１５】
このとき、前記空気の吸い込み口は、前記筐体の吹き出し口の対向する両面の先端側端面の短い方の筐体面側に形成されていると好適である。
このように構成すると、まつげ専用送風器を手で持って、長い方の面を皮膚（顔側）側に位置させるようにすると、空気の吸い込み口が皮膚（顔側）側と反対側に位置し、持ち手や皮膚（顔側）側で遮られることがなく、吹き出し口から出た空気（風）が、再び空気の吸い込み口から入るように構成できるので、「頬」や「瞼」への影響をより確実に少なくできる。
【００１６】
さらに、空気の吸い込み口は、前記筐体の吹き出し口と反対側の端面側に形成されているように構成することができる。このようにすると、空気の取入れを顔から離すことが可能となり、施術中に顔等への影響を少なくすることができる。
【００１７】
前記課題は、本発明に係るまつげ専用送風器によれば、請求項１乃至４のいずれか１項に記載のまつげ専用送風器用ノズルを備えているまつげ専用送風器であって、空気の吸い込み口から空気を吸い込み、吹き出し口へ送風する送風手段と、前記送風手段を駆動する電源と、を備え、前記請求項１乃至４のいずれか１項に記載のまつげ専用送風器用ノズルは、前記送風手段と送風管を介して連結されたこと、により解決される。
【００１８】
このように、まつげ専用送風器用ノズルが、前記送風手段と送風管を介して連結された構成にすると、ノズルを移動することで、乾燥が行えることや、送風手段の音などを顔から離した位置におけるので、異音を伝えることなく、施術が行える。また送風管の長さを調整することで、より送風手段から遠ざけることが可能であるだけでなく、ノズルだけの重さで施術が可能となり、送風管の太さで空気の流量を調整可能となるので、より好適である。
【発明の効果】
【００１９】
本発明によれば、まつげの根元に集中して、吹き出し口から出た風が当たるように構成することができる。そして風が、細いペーパーのような風になり、これによって、集中的にまつげの根本やグルーの位置に当てることができる。そして、まつげの根本やグルー以外の他の部位の乾燥を併発することがないように構成することが可能である。
また、短辺方向の吹出口を形成する先端側端面の一方が、所定の長さの差を設けて形成すると、風が外側に巻くように噴出される。つまり、「頬」側ではなく、グルーから頬を離れる方向へ風が流れ、細いペーパーのような風によって、集中的にまつげの根本やグルーの位置だけに当てることができるので、「頬」や「瞼」への影響を少なくできる。
さらに、吹き出し口を備えた筐体は手で握れる大きさで形成されているので、コンパクトなものとなる。
【００２０】
以上のように、本発明によれば、マスカラ、アイラインなどのアイメイクや、まつげエクステやつけまつげにおけるグルー（接着成分）を早く乾かし、目に染みる時間を短縮し、化粧の崩れを防止でき、アイメイクの失敗を減らし、アイメイクの時間を短縮でき、まつげエクステサロンの施術時間短縮が行えるコンパクトなまつげ専用送風器ノズル及びまつげ専用送風器を提供することができる。
【図面の簡単な説明】
【００２１】
【図１】まつげ専用送風器の概略を示す正面図である。
【図２】図１の側面図である。
【図３】図２のＡ部の部分断面の拡大図である。
【図４】図１の吹き出し口側から見た図である。
【図５】図１の斜視図である。
【図６】使用状態の説明図である。
【図７】他の実施形態を示す図１と同様な正面図である。
【図８】図７の持ち手のカバーを外した状態の説明図である。
【図９】更に他のまつげ専用送風器の概略を示す正面図である。
【図１０】図９の吹き出し口側から見た図である。
【図１１】図９の斜視図である。
【図１２】使用状態の説明図である。
【図１３】他の実施形態を示す概略部分断面図である。
【図１４】図１３の上方から下方に向けた矢印から見た部分正面図である。
【図１５】図１３及び図１４で示す吹き出し口を備えた実施形態を示す斜視図である。
【図１６】図１５の他の実施形態を示す斜視図である。
【図１７】他の実施形態を示す吹き出し口（ノズル）の説明図である。
【図１８】図１７の吹き出し口を備えたまつげ専用送風器の説明図である。
【図１９】図１７の他の例を示す説明図である。
【図２０】図１９のII‐II線による概略断面図である。
【図２１】図１９の概略側面図である。
【図２２】キャップ付き専用送風器の例を示すもので、（Ａ）は平面図、（Ｂ）は正面図、（Ｃ）は側面図、（Ｄ）は底面図である。
【図２３】他のつけまつげ専用送風器の説明図であり、（Ａ）は平面図、（Ｂ）は正面図、（Ｃ）は側面図、（Ｄ）は底面図である。
【図２４】充電器の例を示すもので、（Ａ）は平面図、（Ｂ）は正面図、（Ｃ）は側面図、（Ｄ）は底面図である。
【図２５】まつげ専用送風器の説明図であり、（Ａ）は平面図、（Ｂ）は正面図、（Ｃ）は側面図、（Ｄ）は底面図である。
【図２６】他のまつげ専用送風器の説明図であり、（Ａ）は平面図、（Ｂ）は正面図、（Ｃ）は側面図、（Ｄ）は底面図である。
【図２７】他のまつげ専用送風器の説明図であり、（Ａ）は正面図、（Ｂ）は側面図、（Ｃ）は底面図である。
【図２８】図２２のキャップ付き専用送風器の他の例を示すもので、（Ａ）は平面図、（Ｂ）は正面図、（Ｃ）は側面図、（Ｄ）は底面図である。
【図２９】キャップを外した状態の図２８の説明図であり、（Ａ）は平面図、（Ｂ）は正面図、（Ｃ）は側面図である。
【図３０】更に他のまつげ専用送風器の説明図であり、（Ａ）は平面図、（Ｂ）は正面図、（Ｃ）は側面図、（Ｄ）は底面図である。
【図３１】更に他のまつげ専用送風器の説明図であり、（Ａ）は正面図、（Ｂ）は側面図、（Ｃ）はキャップを外した説明図である。
【図３２】携帯用まつげ専用送風器の説明図であり、（Ａ）は平面図、（Ｂ）は正面図、（Ｃ）は右側面図、（Ｄ）は底面図、（Ｅ）は左側面図、（Ｆ）はキャップを外した正面図、（Ｇ）はキャップを外した右側面図である。
【図３３】口紅型の携帯用まつげ専用送風器であり、（Ａ）は正面図、（Ｂ）は側面からみた説明図である。
【図３４】図３３の使用状態の説明図である。
【図３５】さらに他のまつげ専用送風器の例を示すもので、（Ａ）は平面図、（Ｂ）は正面図、（Ｃ）は概略斜視図である。
【図３６】両目を同時に対象としたまつげ専用送風器の説明図である。
【発明を実施するための形態】
【００２２】
図１乃至図６は一実施形態で、図１はまつげ専用送風器の概略を示す正面図、図２は図１の側面図、図３は図２のＡ部の部分断面の拡大図、図４は図１の吹き出し口側から見た図、図５は図１の斜視図、図６は使用状態の説明図である。図７は他の実施形態を示す図１と同様な正面図、図８は図７の持ち手のカバーを外した状態の説明図である。
本実施形態に係るまつげ専用送風器Ｓは、図１で示すように、筐体１０と、空気の吸い込み口２０と、空気の吹き出し口３０と、送風手段４０と、電源５０と、電源投入手段６０と、を備えている。
【００２３】
本実施形態の筐体１０は、収納部１１と蓋体１２とから構成されており、これら収納部１１と蓋体１２は、接合部１３で嵌め込まれて一体に固着されるように形成されている。
【００２４】
上記接合部１３での嵌め込みは、公知の技術によって行われている。なお、嵌め込みではなく、収納部１１と蓋体１２を接合部１３で突き当てて、ねじ等によって固着できるように構成してもよい。
【００２５】
収納部１１には、送風手段４０としての小型のブロワモータ４１と、このブロワモータ４１の出力軸に直接或いは間接的に連結された回転軸に羽根４２が取り付けられている。本実施形態では羽根４２は、複数のカーブした板体がブロワモータ４１を中心としてブロワモータ４１から所定空間を置いてカップ状に配設されている。このカップ状の羽根４２は回転方向に傾斜角度を持って、所定間隔で配設されている（これらの構成は公知であるので詳細は省略する）。
【００２６】
また収納部１１には、送風手段４０を駆動する電源５０としての電池が収納されており、本例の電源５０は複数の電池を直列に接続している。これら電源５０と送風手段４０は電源投入手段６０としてのスイッチを介して接続されている。この電源投入手段６０には、不図示の電流の流れ量を複数段に調整することのできる送風速調整手段（可変抵抗などを用いて構成される）が形成されている。これによって、ブロワモータの回転速度を複数段に調整することができる（これらの電源投入手段、送風速調整手段の構成は公知であるので詳細は省略する）。このため、細いペーパーのような空気の流れ（風）の風力を強・弱等の複数段を選んで使えるため、送風速（風量）を適宜調整できる。
【００２７】
本実施形態では、電源５０として電池を用いた例を示しているが、電池の代わりに充電式電池、蓄電池で代替してもよい。この場合、充電式電池又は蓄電池への充電は、商用電源等によって充電したりするが、コンセントに直接接続したり、充電器を介して接続したり、或いはＵＳＢなどによってPC等と接続しったりして行うなど各種、公知の技術を用いることができることは勿論である。
【００２８】
本実施形態の蓋体１２は、図１及び図２で示すように、外面側で中央より先端側に寄った位置に空気の吸い込み口２０が形成されている。この空気の吸い込み口２０は、筐体１０の空気の吹き出し口３０を形成する収納部１１と蓋体１２の対向する両面の先端側端面の短い方の筐体面側に形成されている。このように構成すると、まつげ専用送風器Ｓを手で持って、長い方の面（本実施形態では収納部１１側）を皮膚（顔側）側に位置させるようにして、親指等で電源投入手段６０を操作する。
【００２９】
このように操作すると、蓋体１２に設けられた空気の吸い込み口２０が皮膚（顔側）側と反対側に位置し、持ち手や皮膚（顔側）側で遮られることがなく、また吹き出し口３０から出た空気（風）が、再び空気の吸い込み口２０から入るように、空気の流れを瞼や皮膚（顔側）側に当てることなく、渦を巻くような空気流を構成できる。
【００３０】
本実施形態の空気の吸い込み口２０は、筐体１０の一面側である表面側（外表面）に円状の穴２１で形成され、この穴２１には、穴２１の内部が触れないように且つ空気を取り入れることが可能なように空間を開けた保護部２２が形成されている。本実施形態では、保護部２２は、ブロワモータ４１によって回転される羽根４２の傾斜角度と反対の回転方向に形成されている。なお、保護部２２は網目状のような形態であってもよい。
【００３１】
本実施形態の蓋体１０の外表面で、上記空気の吸い込み口２０より中央よりには、電源５０をＯＮ−ＯＦＦする電源投入手段６０であるスイッチが形成されている。本実施形態のスイッチは、タクテイルスイッチなどを用いている。また送風速調整手段としてはスライドスイッチなどを用いているが、このスライドスイッチをタクテイルスイッチに隣接して設けるなど各種公知の技術が用いられる。
【００３２】
本実施形態のまつげ専用送風器Ｓは、図３で示すように、先端側（図１の前側）に開口からなる空気の吹き出し口３０が形成されている。本実施形態の開口からなる空気の吹き出し口３０は、収納部１１の先端側端面１１ａと蓋体１２の先端側端面１２ａとで形成されている。
【００３３】
この空気の吹き出し口３０は、長辺方向（図１の左右方向）と短辺方向（図３の上下方向）の開口から形成され、少なくとも短辺方向が先細り形状に形成されている。この先細り形状は、開口の長辺側が瞼のカーブに沿って湾曲して形成され、長辺方向の幅が５ｍｍ〜５０ｍｍの範囲で、且つ短辺方向が１ｍｍ〜２０ｍｍの範囲で形成されている。このように構成すると、空気の吹き出し口３０から瞼のカーブに沿って細く薄い空気の流れ（風）が吹き出るように構成できる。ここで、本例では、長辺方向の幅及び短辺方向を上述のように記述しているが、長辺方向の幅が２５ｍｍで短辺方向の幅が１．５ｍｍであってもよく、ノズルや装置のバリエーションにおいて、上述の範囲で、適宜選択することが可能である。
【００３４】
なお、吹き出し口３０は、後述する形態において、ペーパー状の風（吹き出し口から出る風が恰も薄いペーパーのように吹き出す風）と認識される範囲であることが好ましく、吹き出し口３０の開口についても、適用するノズルやまつげ専用送風器の形態に応じて改変できるものを含むものである。
【００３５】
本実施形態では、空気の吹き出し口３０を構成する開口は、ペーパー状の風（吹き出し口から出る風が恰も薄いペーパーのように吹き出す風）と認識される範囲で形成されている。これによって、空気の吹き出し口３０が狭く細い状態となり、ここから吹き出る空気を、細いペーパーのような風となって吹き出させることが可能となる。
【００３６】
また筐体１０の空気の吹き出し口３０の短辺方向を形成する対向する両面の先端側端面は、一方の面側と他方の面側とで、所定の段差を設けて形成されている。つまり、本実施形態では、図３及び図５で示されるように、収納部１１側の先端側端面１１ａが、蓋体１２側の先端側端面１２ａより所定の量だけ長く形成されている。このように構成すると、空気の吹き出し口３０の上下に差があることにより、吹き出した空気（風）が、短い方である外側（蓋体１２方向）に巻くように流れる。よって「頬」や「瞼」への影響を少なくできる。頬や目まわりの皮膚は非常に薄く乾燥し易い箇所で、美容の観点から見ても、むやみに目まわりの皮膚（表皮）に風を当てることなく、渦を巻くような空気流を構成できる。
なお、本実施形態では収納部１１側の先端側端面１１ａが、蓋体１２側の先端側端面１２ａより所定量だけ長く形成されている例を示したが、蓋体１２側の先端側端面１２ａが収納部１１側の先端側端面１１ａより所定量だけ長く形成するように構成してもよい。ここで、本例では所定の長さ（所定量）は１．５ｍｍとしているが、これに限定されない。
【００３７】
また、空気の吹き出し口３０には、開口の短辺方向に風仕切り部３１が、長辺方向に所定間隔で形成されている。このように構成すると、吹き出し口３０の位置に拘わらず、空気の吹き出し口３０からの空気の流れ（風）が風仕切り部３１によって規制され、一定の風速に規制することが可能となるので、吹き出し口３０によって、グルーなどの乾燥を均一に行うことが可能となる。
【００３８】
図７は他の実施形態を示す図１と同様な正面図、図８は図７の持ち手のカバーを外した状態の説明図である。本実施形態では、上記実施形態と同様部材・同様配置・同様機能等には同一符号を付してその説明を省略する。
【００３９】
本実施形態の筐体１０は、図８で示すように、収納部７１と、この収納部７１を覆うように筒状の蓋体部７２と、空気の吹き出し口形成部７３で構成されている。前述した空気の吹き出し口３０を除き、一方の辺の長さは筐体１０を持つ長さ方向の辺であり、他方の辺は、手のひらに収まるように、握り易い形状を意図したものである。また本実施形態では、一方の辺である長い方の辺は断面円形に形成されている。なお、本例において、キャップを取り付けて吹き出し口を露見しないようにしても良い。これにより吹き出し口を保護することができる。
【００４０】
本実施形態では、図８で示すように、収納部７１は、上面側が開口された空洞となっており、この収納部７１に電源５０が収納されて、筒状の蓋体部７２によって収納部７１を覆うように形成されている。また先端側（前側）には、空気の吹き出し口形成部７３が形成されている。吹き出し口形成部７３には送風手段４０が形成されており、この送風手段４０は、前述説明したものと同様であるので、説明を省略する。
【００４１】
また収納部７１と吹き出し口形成部７３との間で、送風手段４０より収納部７１側には、ストッパ部７０が形成されている。このストッパ部７０は、筐体１０を形成する収納部７１と空気の吹き出し口形成部７３との間に形成されるが、収納部７１の外径より若干大きく形成されている。またストッパ部７０には電源をＯＮ−ＯＦＦする電源投入手段６０であるスイッチが形成されている。なお、複数段の送風速調整手段は、空気の吹き出し口形成部７３の適宜箇所に設けられている。
【００４２】
収納部７１には、電源５０である電池が収納できるように形成されており、この収納部７１は、蓋体部７２内に収納部７１が入り、収納部７１より外径が大きく形成された蓋体部７２とストッパ部７０が当接して、両者が嵌まり込むように構成されている。また、図７及び図８で示すように、筐体１０のストッパ部７０より先端側に空気の吸い込み口２０が形成されている。なお、空気の吹き出し口３０の構成は前記した実施形態と同様であり、さらには後述する実施形態のように構成することもできる。
【００４３】
本実施形態の筐体１０の大きさは、手で握れる大きさのものであり、空気の吹き出し口３０を除き、使用時に、筆記具を持つような感覚で操作することが可能となり、乾燥させやすいだけでなく、吹き出し口の特徴を保ったまま、まつげ専用送風器を、よりコンパクトにすることができ、女性の化粧ポーチ等に入れて、持ち運びも便利となる。
【００４４】
図９乃至図１２は更に他の実施形態を示すものであり、図９はまつげ専用送風器の概略を示す正面図、図１０は図９の吹き出し口側から見た図、図１１は図９の斜視図、図１２は使用状態の説明図である。本実施形態では、上記各実施形態と同様部材・同様配置・同様機能等には同一符号を付してその説明を省略する。
【００４５】
前記各実施形態は、吹き出し口３０を突状に形成した例を示しているが、本実施形態では、吹き出し口３０を凹状に形成した例を示すものである。この吹き出し口３０を凹状に形成した以外は、前記図１乃至５で示す実施形態と同様である。
このように構成すると、まつ毛の根本に風を集中的に当てることが可能となり、空気の流れが、まつ毛の根元から眉の方向へ流れ、「頬」や「眼球」への影響を少なくできる。頬は風を敏感に感じるため、頬に当てずに不快感が生じるのを防止し、眼球の乾燥などを防止することが可能となる。
【００４６】
なお、本実施形態においても、空気の吹き出し口を除いて、図７及び図８で示されるような持ち易く、操作のし易い実施形態とすることができるのは、勿論である。
【００４７】
図１３乃至図１６は、まつげ専用送風器の他の実施形態を示すものであり、図１３はまつげ専用送風器ノズルとしても適用できる吹き出し口の概略部分断面図、図１４は図１３の吹き出し口を図１３の矢印から見た部分正面図、図１５は図１３及び図１４で示す吹き出し口を備えたまつげ専用送風器の実施形態を示す斜視図、図１６は図１５の他の実施形態を示す斜視図である。
【００４８】
図１３で示す実施形態では、吹き出し口３０を形成する先端側端面１２ａを湾曲（カーブ）した形状にしている。このように湾曲して形成することにより、グルーを乾燥させるために吹き出させた空気（風）が湾曲した面に沿って流出するので、空気の流れが湾曲面によってグルーに接触することが多くなると共に、吹き出し口３０から流出する前に、吹き出し口３０内の空間部に滞留させることができるので、空気を均一に吹き出すことが可能となる。
【００４９】
さらに、吹き出し口３０を形成する先端側端面１２ａを湾曲（カーブ）した形状にすると、図２及び図３で示すまつげ専用送風器Ｓに比して、よりデザイン性が良好にでき、スタイリッシュな製品とすることができる。
【００５０】
図１５で示すまつげ専用送風器Ｓは、上記図１３及び図１４で示す吹き出し口３０を用いたものであり、空気の吸い込み口２０、スイッチなどの電源投入手段６０、送風速調整手段などは前記各実施形態と同様のものを採用することができる。また、本実施形態の筐体１０は、収納部１１と蓋体１２とを接合した図１乃至図６の実施形態とは異なり、収納部１１が板状で形成されており、この板状の収納部１１を覆うように、蓋体１２が形成されている。
【００５１】
したがって吹き出し口３０は、前記実施形態と同じく収納部１１側の先端側端面１１ａと、蓋体１２側の先端側端面１２ａで構成され、収納部１１側の先端側端面１１ａが、蓋体１２側の先端側端面１２ａより所定量だけ長く形成されている。
なお、本実施形態の空気の吸い込み口２０は格子状（網目）の形状をしており、異物の侵入を防止できるように構成している。
【００５２】
図１６は、図１５で示すまつげ専用送風器Ｓの変形例であり、図１５に示す実施例と同様部材・同様配置・同様機能等には同一符号を付してその説明を省略し、図１５で示す実施形態と異なる部分についてのみ説明する。
図１６で示す実施形態では、空気の吸い込み口２０が、空気の吹き出し口３０と反対側の端面に形成された例を示すものである、端面側の形状が矩形であるために、空気の吸い込み口２０を構成する格子（網目）の形状も矩形形状としている。
【００５３】
なお、前記図１５及び図１６で示すまつげ専用送風器Ｓは、矩形体で構成した例を示しているが、円柱体（円筒体）で形成すると、より持ち易く、鉛筆など筆記用具的な持ち方で施術することができるように構成できる。
【００５４】
図１７乃至図２１は、まつげ専用送風器用ノズルＮについての説明であり、図１７は他の実施形態を示す吹き出し口の説明図、図１８は図１７の吹き出し口を備えたまつげ専用送風器の説明図、図１９は図１７の他の例を示す説明図、図２０は図１９のII‐II線による概略断面図、図２１は図１９の概略側面図である。基本的には、既に説明した空気（風）の吹き出し口３０と同様であるので、既に説明した内容については、同じ符号を付してその説明を省略する。
【００５５】
前記各実施形態では、空気の吸い込み口２０と、吹き出し口３０を有する筐体１０と、吸い込み口２０から空気を吸い込み、吹き出し口３０へ送風する送風手段４０と、送風手段４０を駆動する電源５０と、電源５０をＯＮ−ＯＦＦする電源投入手段６０と、を有するまつげ専用送風器Ｓとして説明したが、以下の実施形態では、上記まつげ専用送風器に用いるノズルＮ（吹き出し口３０）部分を単独で構成できるものである。
【００５６】
本実施形態のまつげ専用送風器用ノズルＮは、図１７で示すように、吹き出し口３０と、ノズル本体８０と、この本体から空気をノズル本体８０に取り入れるための接続部８１とを有している。ノズル本体８０は下側と上側の各板体８０ａ，８０ｂで空間を形成するようになっている（この点は図２０及び図２１を参照）。吹き出し口３０の構成は前記各実施形態のものを適用できるものである。また、ノズルＮの大きさは、吹き出し口３０の幅が、手で持って施術するときに支障が生じない大きさで構成される。
【００５７】
まつげ専用送風器用ノズルＮは、図１８で示すように、低圧コンプレッサー１００と接続されたエアホース９１を、ノズルＮの接続部８１と、接続部分９０で接続して構成する。
エアホースは所定の直径の自由に曲げることのできる各種フレキシブル金属、合成樹脂、ゴムなどで構成されている。
接続部分９０は、ステンレス等の金属、合成樹脂、ゴム、シリコンなどで構成されており、この部分に絞り弁等を設けて、空気（風）の流用を調整できるように構成することもできる。
【００５８】
図１９乃至図２１はまつげ専用送風器用ノズルＮの他の実施形態を示すものであり、図１９は図１７の他の例を示す説明図、図２０は図１９のII‐II線による概略断面図、図２１は図１９の概略側面図である。この実施形態では、上記各実施形態と同様部材・同様配置・同様機能等には同一符号を付してその説明を省略する。
【００５９】
図１９で示すまつげ専用送風器用ノズルＮは、上側の板体８０ａと下側の板体８０ｂで形成される空間（板体内部）に仕切り板８３が形成されている。この仕切り板８３は、空間を確保すると共に、ノズルＮに流入する空気をノズル本体８０に均等に行き渡らせるためである。
【００６０】
また図２２はキャップ付き専用送風器Ｓの例を示すもので、（Ａ）は平面図、（Ｂ）は正面図、（Ｃ）は側面図、（Ｄ）は底面図である。この実施形態において、前記各実施形態と同様部材、同様配置等には同一符号を付してその説明を省略する。
【００６１】
本実施形態では、筐体１０と、この筐体１０に係合するキャップＫが着脱自在になっており、使用しないときには、キャップＫによって吹き出し口がカバーされるように形成されている。
本実施形態では、筐体１０の内部にはニッカド電池、ニッケル水素電池、リチウムイオン電池、リチウムポリマー電池など公知の充電式電池が用いられているが、小型化の要請から電源等は各種選定される。記号Ｊ１は充電端子であり、公知のものが用いられている。
【００６２】
なお使い切りであっても、小型化の要請に合致するものであれば、勿論使用することが可能である。他の内部構造は、既に説明したものと同様構成である。なお充電器は、例えば図２４で示されるようなものを利用することが可能である。このように充電中は勿論、充電器に立てて使用することも可能である。
【００６３】
図２３で示す例は、図２の他の実施形態を示すものであり、キャップを外した状態の説明図であって（Ａ）は平面図、（Ｂ）は正面図、（Ｃ）は側面図、（Ｄ）は底面図である。本実施例において、構成その他は図２２で示す例を略同様であり、形状等が異なるものである。
【００６４】
図２４は充電器１１０の例を示すもので、（Ａ）は平面図、（Ｂ）は正面図、（Ｃ）は側面図、（Ｄ）は底面図である。
本実施形態の充電器１１０では、まつげ専用送風器Ｓに形成された充電端子Ｊ１と接続されるように、立体的な概略矩形状の基台１１０ａの上部には、連結端子Ｊ２が形成され、この連結端子Ｊ２を囲むように半円状の縦壁１１０ｂが形成されている。また、充電器１１０の基台１１０ａの上面には、充電器１１０のスイッチ１１０ｃと、充電状態を表示するＬＥＤ１１０ｄが形成されており、ＬＥＤは充電中を意味する赤色と充電完了を意味する緑色から構成されている。これによって、安定的にまつげ専用送風器Ｓの充電ができるように構成されている。なお本例の連結端子Ｊ２には、不図示の電源コードから供給された電気を基台１１０ａ内に配置された不図示の装置によって、変圧・変電して供給するように構成されている。しかし、これに限ることなく、ＵＳＢの接続端子であってもよく、その場合には、まつげ専用送風器ＳにＵＳＢの接続端子が形成され、まつげ専用送風器Ｓ内に変圧・変電できる公知の基板等が配設されるように構成している。そして充電器に相当するものはＵＳＢ端子を保持するプラスチック等でもよい。
なお、図２４（Ｄ）に示すように、基台１１０ａを支持する支持部１１０ｅが４つ形成されている。
【００６５】
図２５は、まつげ専用送風器Ｓの説明図であり、（Ａ）は平面図、（Ｂ）は正面図、（Ｃ）は側面図、（Ｄ）は底面図であり、以下図２５乃至図３６の各実施態様において、前記各実施形態と同様機能、部材、配置には同一符号を付して、その説明を省略する。
図２５で示すように、本実施形態のまつげ専用送風器Ｓでは、立てておくことが便利なスタンド型であり、筐体１２０は手で握れる大きさのものであり、下部１２２と上部１２１から構成されている。本実施形態では、細長い形状でペンのように握ることができるので、繊細な角度の調整などができる機能重視のまつげエクステ用のものである。
【００６６】
本実施形態のまつげ専用送風器Ｓでは、安定性を重視して下部１２２が末広がりとなり、下部１２２は上部１２１と回転可能に構成されている。上部１２１の上端には、前記実施形態のように二つに分かれた吹き出し口３０が形成され、底面にはファン４０や空気の吸い込み口２０が形成されている。上部１２１の下部側はなだらかに細くなるように直径が小さく形成され、持ち易く形成されている。また上部１２１の下部側には、丸みのあるストーン（本例ではＬＥＤ等が３つ）を形成し、充電状態やファンの強弱の状態を表示するように形成されている。つまり、下部１２２を回転させることによって、スイッチ（不図示）がＯＮ，ＯＦＦできるように形成され（例えば、右回し１回でＯＮ、左回し１回でＯＦＦ）、さらに、スイッチＯＮの状態からさらに右に回すと、弱、強、イオン発生（マイナスイオンの発生）などが行えるように形成されている。
【００６７】
図２６は他のまつげ専用送風器の説明図であり、（Ａ）は平面図、（Ｂ）は正面図、（Ｃ）は側面図、（Ｄ）は底面図である。本実施形態では、上述の図２５の変形例であり、手で握れる大きさの筐体１３０と、下部側面に形成されたスイッチ等１３２と、上端面に形成された段差の無い吹き出し口３０と、から構成されている。表面はプラスチックの蒸着メッキで仕上げられており、縦方向にスライドするスイッチ等１３２で構成されており、スイッチ等１３２によって、ＯＮ，ＯＦＦできるように形成され、スイッチＯＮの状態からさらにスライドさせると、弱、強、イオン発生などが行えるように形成されている。
【００６８】
図２７は他のまつげ専用送風器Ｓの説明図であり、（Ａ）は正面図、（Ｂ）は側面図、（Ｃ）は底面図である。本実施形態のまつげ専用送風器Ｓは、立てて置くことができるスタイルのものであり、丸みのあるフォルムで、使い勝手がよいものであり、手で握れる大きさの筐体１４０の中央部にはくびれ１４１があり、持ち易いものである。他は図５等と同様である。但し、図５で示す例が直線的なフォルムであるのに対し、本実施形態では曲面で形成されているので、吸い込み口２０及び送風手段４０は、この曲面に合わせた曲面形状をしている点、吹き出し口３０が上面中央の端面に形成されている点において相違する。
【００６９】
図２８は図２２のキャップ付き専用送風器Ｓの他の例を示すもので、（Ａ）は平面図、（Ｂ）は正面図、（Ｃ）は側面図、（Ｄ）は底面図、図２９はキャップを外した状態の図２８の説明図であり、（Ａ）は平面図、（Ｂ）は正面図、（Ｃ）は側面図である。
本実施形態は、蓋付のコンパクトまつげ専用送風器Ｓであり、キャップＫを回して、外して使用する。外した状態は、図２９で示すように、円柱体の先端に吹き出し口３０が形成されている。この円柱体を回転させて、スイッチ（不図示）がＯＮ，ＯＦＦできるように形成され（例えば、右回し１回でＯＮ、左回し１回でＯＦＦ）、さらに、スイッチＯＮの状態からさらに右に回すと、弱、強、イオン発生（マイナスイオンの発生）などが行えるように形成されている。
そして、筐体１０を把持して、吹き出し口３０をまつげに向けて使用することができ、コンパクトでキャップＫが付いているので、化粧ポーチに入れても、吹き出し口が他の化粧品によって汚れ、損傷を防止することができる。
【００７０】
図３０は更に他のまつげ専用送風器Ｓの説明図であり、（Ａ）は平面図、（Ｂ）は正面図、（Ｃ）は側面図、（Ｄ）は底面図である。本実施形態は、手で握れる大きさの筐体１５０がマウス型のような形状をしており、左右には手で持ち易いように、指がフィットする緩やかなくぼみ（凹み）１５１，１５１を形成している。吸い込み口２０には送風手段４０（図示せず）が配置されていることは前記各実施形態と同様であるが、吸い込み口２０には適宜模様や色彩を付して見た目を工夫している。
なお、スイッチ等は不図示であるが、前述の各実施形態を適宜適用することができるものである。
【００７１】
図３１は更に他のまつげ専用送風器の説明図であり、（Ａ）は正面図、（Ｂ）は側面図、（Ｃ）はキャップを外した説明図である。本実施形態は、手で握れる大きさの筐体１６０は、下部１６２と上部１６１とから構成されており、上部１６１には吸い込み口２０と吹き出し口３０が形成されている。また上部１６１にはキャップＫが着脱自在に設けられている。本実施形態では、キャップＫが半透明であり、吸い込み口２０は、模様、色彩を変化させてバリエーションを出せるようにしている。そしてキャップＫが半透明であることによって、吸い込み口２０のデザインがそのまま外部から目視できるので、バラエティに富んだデザインとすることができる。符号１６３は下部１６２の左右には手で持ち易いように、指がフィットする緩やかなくぼみ（凹み）１６３，１６３を形成している。
【００７２】
図３２は携帯用まつげ専用送風器の説明図であり、（Ａ）は平面図、（Ｂ）は正面図、（Ｃ）は右側面図、（Ｄ）は底面図、（Ｅ）は左側面図、（Ｆ）はキャップを外した正面図、（Ｇ）はキャップを外した右側面図である。手で握れる大きさの筐体１７０は下部１７２と上部１７１とから構成され、上部１７１を回動させることにより、図２８、図２９と同様に構成されている。
本実施形態では、ポーチに入れることができるもので、コンパクトな形状であり、どこでも持ち運びが可能な形状となっている。キャップＫの部分の色彩、柄、素材などを変えて、ファッション性を向上させ、持ち運びに最適なバリエーションとすることができる。
【００７３】
図３３は口紅型の携帯用まつげ専用送風器であり、（Ａ）は正面図、（Ｂ）は側面からみた説明図、図３４は図３３の使用状態の説明図である。
本実施形態では、口紅のようなシルエットで形成されており、女性の持ち物の中でなじむようにデザインしたものである。手で握れる大きさの筐体１８０は下部１８２と上部１８１とから構成されており、キャップＫは上部１８１を覆い、口紅のキャップと同様になっている。また、下部１８２は持ち手部分となっており、蒸着メッキで形成され、上部１８１の先端側に形成された吹き出し口３０が瞼に沿うような曲線となっている。
【００７４】
使用する場合には、図３４で示されるように、下部１８２に対して上部１８１を回動させ、前述の実施形態と同様に、スイッチ（不図示）がＯＮ，ＯＦＦできるように形成され（例えば、右回し１回でＯＮ、左回し１回でＯＦＦ）、さらに、スイッチＯＮの状態からさらに右に回すと、弱、強、イオン発生（マイナスイオンの発生）などが行えるように形成されている。なおキャップＫの上端にプラスチックのカット形状を付加すると、よりデザイン性に優れたものとなる。
【００７５】
図３５はさらに他のまつげ専用送風器の例を示すもので、（Ａ）は平面図、（Ｂ）は正面図、（Ｃ）は概略斜視図であり、図３０で示すマウス型の変形例である。本実施形態では、手で握れる大きさの筐体１９０が曲線で形成されており、筐体１９０の後部（図３５右側）が大きく、筐体１９０の先端側（図３５左側）が薄く形成されている。そして筐体１９０の後部の両側には、吸い込み口２０が形成されている。送風手段（不図示）として小型ブロワ、小型シロッコファン等が用いられる。また筐体１９０内には制御を含む各種基板、充電池等が内蔵されているが前記各実施形態で使用したものが適宜用いられる。
【００７６】
吹き出し口３０にはスライド装置１９１が設けられている。スライド装置１９１はスライド本体１９１ａと、把持部兼ストッパ１９１ｂが形成されており、スライド本体１９１ａをスライドして開閉し、吹き出し口３０の開口の大きさを調整することができる。これにより、ホコリ等の侵入を防止すると共に、吹き出し口３０の開口幅を調整することができる。この例では、吹き出し口３０の先端が凹状になった例を示しているが、図１で示すような凸状の形成をしてもよい。
【００７７】
図３６は両目を同時に対象としたまつげ専用送風器の説明図で、両目まつげへ同時に風を送るタイプのイメージ図である。図３６（Ａ）〜図３６（Ｄ）において、両側の中間部分は両目の間隔であり、それぞれの吹き出し口は、前記各実施形態の構成を組み合わせたものとなり、適宜選択することができるものである。
【００７８】
前記各実施形態では、詳細は記述していないが、次のような事柄を制御において行っても良い。小型ブロワ、小型シロッコファン等のファンの強弱については、ファンの回転数を制御基板で制御することができ、制御基板にスイッチからの信号で回転数を制御するように構成することができる。また、ソフトウエアによって、小型ブロワ、小型シロッコファン等のファンの制御を公知の技術によって制御することが可能である。
またスイッチをＯＮにしたときに、公知の制御技術によって、小型ブロワ、小型シロッコファン等が直ちに所定回転数で回転するのではなく、徐々に回転数を上げて、所定の回転数になるように、制御基板で制御するようにすることができる。所定の回転数になるまでの時間や温度を設定すること等によって、制御することができるものである。
【００７９】
前記各実施形態では、電源として、蓄電池、充電器を用いた例やＵＳＢの接続端子を用いた例を示したが、充電器の代わりに非接触充電技術を用いることは勿論であり、電磁誘電方式の他に共鳴時期誘電方式、さらにはワイヤレス充電など、各種の充電技術を用いることができるものである。
【００８０】
以上のように、マスカラ、アイラインなどのアイメイクや、まつげエクステのグルーやつけまつげのグルーの乾燥のときに、上瞼又は下瞼のカーブに合わせて、吹き出し口が異なるまつげ専用送風器用ノズル、または吹き出し口が異なるノズルが形成されたコンパクトなまつげ専用送風器を用いることができる。
また本発明のまつげ専用送風器用ノズル及びまつげ専用送風器においては、複数の実施形態を説明したが、許容される範囲において、各実施形態を適宜組み合わせることが可能であるのは、言うまでもないことである。
【符号の説明】
【００８１】
１０  筐体
１１  収納部
１２  蓋体
１１ａ，１２ａ  先端側端面
１３  接合部
２０  吸い込み口
２１  穴
２２  保護部
３０  吹き出し口
３１  風仕切り部
４０  送風手段
４１  ブロワモータ
４２  羽根
５０  電源
６０  電源投入手段
７０  ストッパ部
７１  収納部
７２  蓋体部
７３  吹き出し口形成部
８０  ノズル本体
８０ａ，８０ｂ  板体
８１  接続部
８３  仕切り板
９０  接続部分
９１  エアホース
１００  低圧コンプレッサー
１１０  充電器
１１０ａ  基台
１１０ｂ  縦壁
１１０ｃ  スイッチ
１１０ｄ  ＬＥＤ
１１０ｅ  支持部
１２０  筐体
１２１  上部
１２２  下部
１３０  筐体
１３２  スイッチ等
１４０  筐体
１４１  くびれ
１５０  筐体
１５１  くぼみ
１６０  筐体
１６１  上部
１６２  下部
１７１  上部
１７２  下部
１７０  筐体
１８０  筐体
１８１  上部
１８２  下部
１９０  筐体
１９１  スライド装置
１９１ａ  スライド本体
１９１ｂ  把持部兼ストッパ
Ｊ１  充電端子
Ｊ２  連結端子
Ｋ  キャップ
Ｎ  ノズル（まつげ専用送風器用ノズル）
Ｓ  まつげ専用送風器
【図１】
0006583717.tif 000002
【図２】
0006583717.tif 000003
【図３】
0006583717.tif 000004
【図４】
0006583717.tif 000005
【図５】
0006583717.tif 000006
【図６】
0006583717.tif 000007
【図７】
0006583717.tif 000008
【図８】
0006583717.tif 000009
【図９】
0006583717.tif 000010
【図１０】
0006583717.tif 000011
【図１１】
0006583717.tif 000012
【図１２】
0006583717.tif 000013
【図１３】
0006583717.tif 000014
【図１４】
0006583717.tif 000015
【図１５】
0006583717.tif 000016
【図１６】
0006583717.tif 000017
【図１７】
0006583717.tif 000018
【図１８】
0006583717.tif 000019
【図１９】
0006583717.tif 000020
【図２０】
0006583717.tif 000021
【図２１】
0006583717.tif 000022
【図２２】
0006583717.tif 000023
【図２３】
0006583717.tif 000024
【図２４】
0006583717.tif 000025
【図２５】
0006583717.tif 000026
【図２６】
0006583717.tif 000027
【図２７】
0006583717.tif 000028
【図２８】
0006583717.tif 000029
【図２９】
0006583717.tif 000030
【図３０】
0006583717.tif 000031
【図３１】
0006583717.tif 000032
【図３２】
0006583717.tif 000033
【図３３】
0006583717.tif 000034
【図３４】
0006583717.tif 000035
【図３５】
0006583717.tif 000036
【図３６】
0006583717.tif 000037